(57)【要約】【課題】  装置ケースが誤った位置で取り付けられることを防止する。【解決手段】  便器１の載置部１１に肘掛け４の取付け板部２３を介してＬ字状の固定金具５０の第二固定片５０ｂを横にして載置する。取付け板部２３の第二被係止部２７に固定金具５０の第二係止部５６を係止する。固定金具５０の便器・ケース固定用共通孔５５及び取付け板部２３の肘掛け側孔２６ａ及び載置部１１の便器側孔１４ａに挿通した便器用固着具１５により載置部１１に第二固定片５０ｂ及び取付け板部２３を固着する。固定金具５０のケース固定用孔５１及び取付け縦片部４２のケース側孔４６に挿通したケース用固着具４７により固定金具の第一固定片５０ａに取付け縦片部４２を固着する。ケース用固着具４７の誤着防止手段を備える。固定金具向規制手段を備える。【選択図】        図１
2006200324.tif 000002
【特許請求の範囲】
【請求項１】
便器の後部に形成した載置部に便器側孔と凹所又は凸部からなる第一被係止部を形成し、肘掛けの取付け板部に肘掛け側孔と凹所又は凸部からなる第二被係止部を形成し、Ｌ字状の固定金具の一片を構成する第一固定片にケース固定用孔と便器固定用孔と凸部又は凹所からなる第一係止部を形成すると共に他片を構成する第二固定片に便器・ケース固定用共通孔と凸部又は凹所からなる第二係止部を形成し、載置部に取付け板部を介して第二固定片を横にした状態で載置すると共に第二被係止部に第二係止部を係止し、連通する便器・ケース固定用共通孔及び肘掛け側孔及び便器側孔に挿通した便器用固着具により第二固定片及び取付け板部を載置部に固着し、起立した第一固定片に沿って装置ケースの取付け縦片部を配置し、ケース固定用孔及び該孔に連通する取付け縦片部に穿設したケース側孔に挿通したケース用固着具により取付け縦片部を第一固定片に固着し、第一固定片から便器・ケース固定用共通孔までの間隔と、載置部の上面からケース固定用孔までの間隔と、第二固定片から便器固定用孔までの間隔を同じ寸法とし、起立した第一固定片に沿って取付け縦片部を所定高さに配した状態でのみケース用固着具により取付け縦片部を第一固定片に固着可能としそれ以外は不可とする誤着防止手段を備え、載置部に横にした第一固定片を直接載置すると共に便器側孔及び便器固定用孔が連通した状態でのみ第一係止部を第一被係止部に係止することを可能とし、且つ載置部に取付け板部を介して横にした第二固定片を載置すると共に便器側孔及び肘掛け側孔及び便器・ケース固定用共通孔が連通した状態でのみ第二係止部を第二被係止部に係止することを可能とする固定金具向規制手段を備えたことを特徴とする便器用装置ケースの取付け構造。
【請求項２】
上記便器固定用孔の径を便器用固着具を挿通可能とすると共にケース用固着具を挿通不可とする寸法とし、該便器固定用孔を上記誤着防止手段とすることを特徴とする請求項１に記載の便器用装置ケースの取付け構造。
【発明の詳細な説明】
【技術分野】
【０００１】
本発明は肘掛けを取付けるか否かを選択できるようにした便器用装置ケースの取付け構造に関する。
【背景技術】
【０００２】
従来の便器装置には便座に座ったり便座から立ちあがったりするのを補助するために肘掛けを便器に取付けたものがある（例えば特許文献１）。
【０００３】
上記肘掛けは従来から種々の方法で便器に取付けられており、図１１（ａ）に一般的な肘掛けの取付け構造を示す。図に示す便器装置は便器洗浄手段の制御部等を内装する装置ケースを便器１の後部に載設したものであって、該便器装置の肘掛け４は断面Ｌ字状の固定金具７０を用いて便器に取付けられている。固定金具７０は一片７０ａにケース固定用孔７１を他片７０ｂに便器固定用孔７２を穿設したもので、便器１の後部に形成した載置部１１の両側の夫々に肘掛け４の取付け板部２３を載置し、各取付け板部２３に固定金具７０の他片７０ｂを横にして載置し、便器固定用孔７２及び取付け板部２３の肘掛け側孔２６ａ及び載置部１１の便器側孔１４ａにビスのような便器用固着具を挿通し、該便器用固着具により載置部１１に固定金具７０の他片７０ｂ及び取付け板部２３を固着した状態で、肘掛け４を便器１に取付けていた。またこの固定金具７０の起立した一片７０ａに沿って装置ケース３の取付け縦片部４２を配置し、ケース固定用孔７１及び取付け縦片部４２のケース側孔４６にリベットのようなケース用固着具を挿通し、該ケース用固着具により固定金具７０の一片７０ａに取付け縦片部４２を固着することで、装置ケース３は固定金具７０を介して便器１に取付けられている。
【０００４】
ところで上記肘掛け４は使用者の好み等により便器１に取付けない場合があるのだが、従来ではこのような場合には例えば上記図１１（ａ）で用いた固定金具７０とは別の固定金具７０′を用いて装置ケース３を便器１に取付けるようにしていた。図１１（ｂ）に示すように固定金具７０′はケース固定用孔７１を固定金具７０のケース固定用孔７１よりも取付け板部２３の厚み分だけ上位に穿設し、載置部１１に固定金具７０′の他片７０ｂを直接載置した際に、ケース固定用孔７１が図１１（ａ）のケース固定用孔７１と同じ高さに位置するようにしており、これにより装置ケース３は肘掛け４を取付けない場合にも取付けた場合と同じ高さで便器１に取付けられるようになっている。
【０００５】
しかし図１１に示す装置ケース３の取付け構造にあっては、ケース固定用孔７１の穿設位置を異ならせた二種類の固定金具７０、７０′を用いる必要があるため、製造コストや管理コストが高く、また二種類の固定金具７０、７０′を便器１に間違えて取付けてしまうことが多々あった。
【０００６】
また例えば図１２に示すように一片７０ａにケース固定用孔７１よりも取付け板部２３の厚み分だけ上方に位置する上位孔７３を穿設した固定金具７０′′を用いた肘掛けの取付け方法も考えられる。固定金具７０′′を用いて肘掛け４を便器１に取付ける場合には、図１３（ａ）に示すようにケース固定用孔７１及びこれに連通するケース側孔４６に挿通したケース用固着具７４で固定金具７０′′の一片７０ａに装置ケース３の取付け縦片部４２を固着して、装置ケース３を固定金具７０′′に取付け、また肘掛け４を便器１に取付けない場合には、図１４（ａ）に示すように上位孔７３とこれに連通するケース側孔４６に挿通したケース用固着具７４により固定金具７０′′の一片７０ａに取付け縦片部４２を固着して、装置ケース３を固定金具７０′′を取付け、これにより肘掛け４の有無に関わらず装置ケース３を同じ高さで便器１に取付けられるようにすることが考えられる。
【０００７】
しかしこのものは固定金具７０′′を正しい取付け位置に固定した場合には、肘掛け４を取付ける場合も取付けない場合も共に同じ高さに装置ケース３を配設できるものの、肘掛け４を取付ける際に、図１３（ｂ）に示すように本来ケース固定用孔７１に挿通させるケース用固着具７４が誤って上位孔７３に挿通されたり、同図（ｃ）、（ｄ）に示すように本来他片７０ｂを横にして取付け板部２３に載置される固定金具７０′′が誤って一片７０ａを横にして取付け板部２３に載置され、ケース固定用孔７１や上位孔７３に便器用固着具１５が挿通される恐れがあり、このように誤った取付け位置で固定金具７０′′を固定した場合には、装置ケース３が上下方向や前後方向にずれた状態で便器１に取付けられ、これにより装置ケース３に内装される配管や電線等が正常な位置で便器１に接続されなかったり、また装置ケース３と便器１の載置部１１との間に隙間が形成され、この隙間に異物が入る等の問題が生じる虞れがあった。なお図１３（ｃ）、（ｄ）、図１４（ｃ）、（ｄ）の破線は通常の位置に取付けられる装置ケース３を示すものである。
【特許文献１】特開２００１−２７５８９６号公報
【発明の開示】
【発明が解決しようとする課題】
【０００８】
本発明は上記従来の問題点に鑑みて発明したものであって、肘掛けを取付ける場合も取り付けない場合も共に同一の固定金具を用いて同じ位置に装置ケースを配設でき、しかも固定金具が載置部や取り付け板部に向きや位置を間違えて取り付けられたり、装置ケースが固定金具に位置を間違えて取り付けられたりすることを防止でき、装置ケースを確実に定位置に取付けることができる便器用装置ケースの取付け構造を提供することを課題とする。
【課題を解決するための手段】
【０００９】
上記課題を解決するために本発明に係る便器用装置ケースの取付け構造は、便器１の後部に形成した載置部１１に便器側孔１４ａと凹所又は凸部からなる第一被係止部１６を形成し、肘掛け４の取付け板部２３に肘掛け側孔２６ａと凹所又は凸部からなる第二被係止部２７を形成し、Ｌ字状の固定金具５０の一片を構成する第一固定片５０ａにケース固定用孔５１と便器固定用孔５２と凸部又は凹所からなる第一係止部５３を形成すると共に他片を構成する第二固定片５０ｂに便器・ケース固定用共通孔５５と凸部又は凹所からなる第二係止部５６を形成し、載置部１１に取付け板部２３を介して第二固定片５０ｂを横にした状態で載置すると共に第二被係止部２７に第二係止部５６を係止し、連通する便器・ケース固定用共通孔５５及び肘掛け側孔２６ａ及び便器側孔１４ａに挿通した便器用固着具１５により第二固定片５０ｂ及び取付け板部２３を載置部１１に固着し、起立した第一固定片５０ａに沿って装置ケース３の取付け縦片部４２を配置し、ケース固定用孔５１及び該孔５１に連通する取付け縦片部４２に穿設したケース側孔４６に挿通したケース用固着具４７により取付け縦片部４２を第一固定片５０ａに固着し、第一固定片５０ａから便器・ケース固定用共通孔５５までの間隔Ｌ３と、載置部１１の上面からケース固定用孔５１までの間隔Ｌ６と、第二固定片５０ｂから便器固定用孔５２までの間隔Ｌ４を同じ寸法とし、起立した第一固定片５０ａに沿って取付け縦片部４２を所定高さに配した状態でのみケース用固着具４７により取付け縦片部４２を第一固定片５０ａに固着することを可能としそれ以外は不可とする誤着防止手段を備え、載置部１１に横にした第一固定片５０ａを直接載置すると共に便器側孔１４ａ及び便器固定用孔５２が連通した状態でのみ第一係止部５３を第一被係止部１６に係止することを可能とし、且つ載置部１１に取付け板部２３を介して横にした第二固定片５０ｂを載置すると共に便器側孔１４ａ及び肘掛け側孔２６ａ及び便器・ケース固定用共通孔５５が連通した状態でのみ第二係止部５６を第二被係止部２７に係止することを可能とする固定金具向規制手段を備えたことを特徴とする。
【００１０】
上記構成により、便器１に肘掛け４及び装置ケース３を取付ける際には、固定金具５０の第二固定片５０ｂを横にして取付け板部２３に載置すると共に、第二係止部５６を第二被係止部２７に係止するだけで、確実に固定金具５０を取付け板部２３上の正しい位置に取付けることができる。また図９（ｂ）（ｃ）に示すように肘掛け４及び装置ケース３を便器１に取付ける際に、誤って肘掛け側孔２６ａに便器固定用孔５２やケース固定用孔５１を連通させて固定金具５０の横にした第一固定片５０ａを取付け板部２３に載置しようとした場合には、第一係止部５３を第二被係止部２７に係止することができず、第一係止部５３が取付け板部２３に当たって第一固定片５０ａが取付け板部２３に傾いた状態で載置されるようになり、これにより固定用金具１１の誤った取付けを防止できる。また図９（ａ）に示すように上記肘掛け４及び装置ケース３を便器１に取付ける際においては、誤着防止手段により、取付け板部２３に第二固定片５０ｂを横にして載設した固定金具５０のケース側孔４６及びケース固定用孔５１に誤ってケース用固着具４７を挿通して上下方向の異なる位置に装置ケース３が取付けられることを防止できる。更に本発明の取付け構造にあっては、図８に示すように便器１の載置部１１に横にした第一固定片５０ａを直接載置し、連通する便器固定用孔５２及び便器側孔１４ａに挿通した便器用固着具１５により固定金具５０を載置部１１に固着し、該固定金具５０の起立した第二固定片５０ｂに沿って取付け縦片部４２を配置し、連通するケース側孔４６及びケース固定用孔５１に挿通したケース用固着具４７により装置ケース３を第二固定片５０ｂに固着することで、上記固定金具５０を用いて肘掛け４なしで装置ケース３を便器１に取付けることができ、しかもこの場合、前述のように第一固定片５０ａから便器・ケース固定用共通孔５５までの間隔Ｌ３と、載置部１１の上面からケース固定用孔５１までの間隔Ｌ６と、第二固定片５０ｂから便器固定用孔５２までの間隔Ｌ４を同じ寸法としているので、装置ケース３を肘掛け４を取付けた場合における装置ケース３と同じ位置に配設できる。また上記のように肘掛け４を取付けることなく装置ケース３を便器１に取付ける際には、図１０（ａ）（ｂ）に示すように誤ってケース固定用孔５１や便器・ケース固定用共通孔５５を便器側孔１４ａと連通させて固定金具５０の第二固定片５０ｂを載置部１１に載置しようとした場合には、第一係止部５３や第二係止部５６を第一被係止部１６に係止することができず、第一係止部５３や第二係止部５６が載置部１１に当たって第一固定片５０ａや第二固定片５０ｂが載置部１１に傾いた状態で載置されることとなり、これにより肘掛け４なしで装置ケース３を便器１に取付ける場合においても固定用金具１１の誤った取付けを防止できる。
【００１１】
また上記便器固定用孔５２の径を便器用固着具１５を挿通可能とすると共にケース用固着具４７を挿通不可とする寸法とし、該便器固定用孔５２を上記誤着防止手段とすることも好ましい。簡単な構成で誤着防止手段を構成できるからである。
【発明の効果】
【００１２】
本発明では、同一の固定金具を用いて肘掛けを取付ける場合も取付けない場合も共に同じ位置に装置ケースを配設でき、しかも固定金具が載置部や取付け板部に向きや位置を間違えて取付けられることを防止でき、また装置ケースが固定金具に位置を間違えて取付けられることを防止でき、装置ケースを確実に正しい位置に取付けることができる。
【発明を実施するための最良の形態】
【００１３】
以下、本発明を添付図面に示す実施形態に基いて説明する。なお本実施形態では背景技術で説明した図１１に示した便器装置と基本的な構成が同じである便器装置に本発明の便器用装置ケース３の取付け構造を適用したものであるので、以下の便器装置の基本的な構成の説明は図１１（ａ）及び図１１（ｂ）を用いて説明する。
【００１４】
本例の便器装置はターントラップ式の便器装置であって、図１１に示すように便器１と便座装置２と装置ケース３と肘掛け４を備えている。なお図１１（ａ）においては便座装置２の図示を省略してあり、便座装置２については後述するように肘掛け４なしで装置ケース３を便器１に取付けた状態を示す図２〜５に図示するだけに留める。
【００１５】
図４及び図５に示すように便器１のボウル部５よりも後方に位置する後部の内部に形成した空間部６内にターントラップブロック７を配設している。ターントラップブロック７は、変形性を有する材料にて形成されると共に一端部がボウル部５の出口に接続されたターントラップ８と、該ターントラップ８の自由端となった他端部側を上下反転回動させる駆動モータ９とを備えており、駆動モータ９によりターントラップ８を回動させて他端開口を上を向く姿勢にすることでボウル部５内に水を溜めたり（図５参照）、他端開口を下を向く姿勢にすることでボウル部５内の水を排水したりできるようになっている。
【００１６】
上記ターントラップブロック７を配設した空間部６の天面を形成する便器１の後部の上面部は図１１に示すようにその中央部に空間部６内と便器１の外部を連通させる点検口１０を形成してあり、該点検口１０からターントラップブロック７を保守・点検できるようになっている。
【００１７】
載置部１１は上記便器１の後部の上面部からなり、該載置部１１の左右両側部（点検口１０の両側方に位置する部分）の夫々の前後左右に間隔を介した４ヶ所には上下に貫通する便器側孔１４ａ〜ｄ（図１１（ｂ）参照）を穿設している。各便器側孔１４ａ〜ｄの径は後述するビスのような便器用固着具１５の軸径と略同じ（詳しくは便器用固着具１５の軸径よりも若干大きい）寸法となっている。また載置部１１の両側部の夫々の上面には図１に示すように第一被係止部１６として有底凹部からなる凹所を形成してあり、載置部１１の上面における第一被係止部１６の後側縁部を便器側当たり部１７としている。
【００１８】
便器１の左右両側部の夫々に取付けられる肘掛け４は図１１（ａ）に示すように肘を掛ける肘掛け体２０と、便器１に取付けられる取付けベース２１と、一端部を取付けベース２１（詳しくは後述の延設部２４）に接続し他端部を肘掛け体２０に接続したアーム２２とで構成されている。
【００１９】
取付けベース２１は、略矩形横板状の取付け板部２３と、取付け板部２３の外側端から下方に向けて延設した縦板状の延設部２４とで正面視逆Ｌ字に形成されている。
【００２０】
矩形横板状の取付け板部２３の四隅には上下方向に貫通する肘掛け側孔２６ａ〜ｄを穿設してあり、各肘掛け側孔２６ａ〜ｄの径は便器側孔１４ａ〜ｄの径（つまり便器用固着具１５の軸径）と同じ寸法となっている。また図１に示すように取付け板部２３の上面には第二被係止部２７として上下方向に貫通する孔からなる凹所を形成してあり、取付け板部２３の上面における第二被係止部２７の前側縁部及び後側縁部の夫々を肘掛け側前当たり部２８及び肘掛け側後当たり部２９としている。
【００２１】
ここで上記第二被係止部２７から該第二被係止部２７の前方に位置する肘掛け側孔２６ａ（前記４つの肘掛け側孔２６ａ〜ｄのうち前側且つ外側に位置する肘掛け側孔２６ａ）までの間隔Ｌ１は、前述の第一被係止部１６から該第一被係止部１６の前方に位置する便器側孔１４ａ（前記載置部１１の両側部の夫々に形成した４つの便器側孔１４ａ〜ｄのうち前側且つ外側に位置する便器側孔）までの間隔Ｌ２よりも長い寸法となっている。
【００２２】
装置ケース３は図３に示すように水道管のような水供給管３０からボウル部５内に水を供給する便器洗浄水流路の中間部を構成する管路部３１や、該管路部３１に設けた便器洗浄弁３２や、該便器洗浄弁３２と駆動モータ９を制御する制御部３３を内装するものである。
【００２３】
制御部３３は便座装置２に設けた操作部３４やリモコン装置（図示せず）等から送信された信号、に基づいて便器洗浄弁３２の開閉や駆動モータ９を制御して便器１のボウル部５内の洗浄を行うもので、つまり本例にあっては便器洗浄弁３２と駆動モータ９で便器１のボウル部５内を洗浄する便器洗浄手段を構成している。
【００２４】
図１に示すように上記装置ケース３は下部のケース本体３５と、該ケース本体３５に着脱自在に取付けた上部のカバー３６とで構成されている。装置ケース３の前部の上部は前方に向けて突出した張り出し部４０となっており、張り出し部４０の下方が凹段部４１となっている。凹段部４１の奥面部は上方に開口するケース本体３５の前壁部を構成する取付け縦片部４２で構成され、凹段部４１の上面部は取付け縦片部４２の上端から前方に向けて一体に突出した横片状部４３で構成されている。
【００２５】
取付け縦片部４２の下部は装置ケース３（ケース本体３５）の水平な底面部４４よりも下方に突出してあり、ケース本体３５の底面部４４の前端部には上下に貫通する差し込み孔４５を形成している。また取付け縦片部４２の上部には前後方向に貫通するケース側孔４６を穿設してあり、該ケース側孔４６の径は後述するリベットからなるケース用固着具４７の軸径（筒部６６の外径）と略同じ（詳しくはケース用固着具４７の軸径よりも若干大きい）寸法となっている。ここで取付け縦片部４２のケース側孔４６の上側縁部を便器固定用孔覆い部４８としている。また張り出し部４０は下方に開口するカバー３６の前壁部を構成する縦片状部４９で構成され、該縦片状部４９の下端部は前記横片状部４３の前端部に着脱自在に係止されるものである。
【００２６】
上記装置ケース３及び肘掛け４は前述の便器１の載置部１１に固定されるもので、この固定には図６に示す側面視Ｌ字状の固定金具５０が用いられる。
【００２７】
固定金具５０は板金を折曲形成してなるもので、Ｌ字状の一片を構成する第一固定片５０ａと他片を構成する第二固定片５０ｂを有している。第一固定片５０ａには、第一固定片５０ａの厚み方向（前後方向）に貫通するケース固定用孔５１及び便器固定用孔５２と、第一固定片５０ａの厚み方向（前後方向）における第二固定片５０ｂと反対側（前方）に向けて突出した第一係止部５３としての凸部を形成している。また第二固定片５０ｂには、第二固定片５０ｂの厚み方向（上下方向）に貫通する便器・ケース固定用共通孔５５（以下単に共通孔５５という）と、第二固定片５０ｂの厚み方向（上下方向）における第一固定片５０ａと反対側（下方）に向けて突出した第二係止部５６としての突部を形成してある。第一係止部５３は第一固定片５０ａの先端側（上端側）を逆Ｌ字状に折曲してなり、また第二係止部５６は第二固定片５０ｂの先端側（後端側）を逆Ｌ字状に折曲してなる。またケース固定用孔５１及び共通孔５５の径はともにケース用固着具４７の軸径と略同じ（詳しくはケース用固着具４７の軸径よりも若干大きい）寸法となっており、更に便器固定用孔５２の径はケース固定用孔５１及び共通孔５５の径（つまりケース用固着具４７の軸径）よりも小さく且つ便器側孔１４ａ〜ｄの径（つまり便器用固着具１５の軸径）と同じ寸法となっている。
【００２８】
ここで上記第一固定片５０ａから共通孔５５までの間隔Ｌ３と、第二固定片５０ｂから便器固定用孔５２までの間隔Ｌ４と、第二固定片５０ｂからケース固定用孔５１までの間隔Ｌ５に取付け板部２３の厚みｔを加えた寸法Ｌ６（図１参照）とを同じ寸法としている（つまりＬ３＝Ｌ４＝Ｌ６）。また便器固定用孔５２から第一係止部５３までの間隔Ｌ７と、前記第一被係止部１６から便器側孔１４ａまでの間隔Ｌ２（図１参照）とを同じ寸法としてあり（つまりＬ２＝Ｌ７）、共通孔５５から第二係止部５６までの間隔Ｌ８と、前記第二被係止部２７から肘掛け側孔２６ａまでの間隔Ｌ１とを同じ寸法としている（つまりＬ１＝Ｌ８）。また前記便器固定用孔５２から第一係止部５３までの間隔Ｌ７を、ケース側孔４６から横片状部４３までの間隔Ｌ９（図１参照）よりも短い寸法としている（つまりＬ７＜Ｌ９）。
【００２９】
そして上記固定金具５０を用いて肘掛け４及び装置ケース３を便器１の載置部１１に固定するには、図１等に示すように例えばまず肘掛け４の取付け板部２３を便器１の載置部１１の対応する側部にぴったりと載置すると共に、取付け板部２３の肘掛け側孔２６ａ〜ｄの夫々を載置部１１の対応する便器側孔１４ａ〜ｄに連通させる。これにより肘掛け４の取付けベース２１の延設部２４は便器１の後部の側面に沿って配置される。また第一被係止部１６は第二被係止部２７よりも前方位置、即ち平面視で第二被係止部２７と重複せず肘掛け側前当たり部２８と重複する位置に配され、また第二被係止部２７は平面視で便器側当たり部１７と重複する位置に配される。
【００３０】
次に取付け板部２３の肘掛け側孔２６ａ〜ｄ及びこれに連通する便器側孔１４ａ〜ｄに取付け板部２３側からビスからなる便器用固着具（後述の便器用固着具１５を含む）を夫々挿通した後、各便器用固着具の軸部の下端部にナット（後述のナット５７を含む）を螺合し、便器用固着具及びナットにより取付け板部２３を載置部１１に固着する。なお肘掛け側孔２６ａを除く肘掛け側孔２６ｂ〜ｄに挿通される便器用固着具及びこれに螺合されるナットの図示は省略している。
【００３１】
上記４つの便器用固着具のうち肘掛け側孔２６ａに挿通される便器用固着具１５にあっては、取付け板部２３の前部の外側部に載置した固定金具５０を載置部１１に固着している。
【００３２】
具体的には図１に示すように固定金具５０の第二固定片５０ｂを横にした状態でぴったりと密着させて取付け板部２３に載置すると共に第二被係止部２７に第二係止部５６を挿入係止して共通孔５５と肘掛け側孔２６ａとを連通させ、この後連通する共通孔５５と肘掛け側孔２６ａと便器側孔１４ａに固定金具５０側から便器用固着具１５を挿通し、該便器用固着具１５の載置部１１から下方に突出した軸部の下端部にナット５７を螺合することで、載置部１１に第二固定片５０ｂ及び取付け板部２３を固着している。
【００３３】
ここで本実施形態では上記固定金具５０の第一係止部５３及び第二係止部５６と載置部１１の第一被係止部１６及び取付け板部２３の第二被係止部２７とが固定金具向規制手段を構成してあり、該固定金具向規制手段により、肘掛け４及び装置ケース３を便器１に取付けるにあたって、載置部１１に取付け板部２３を介して横にした第二固定片５０ｂを載置すると共に便器側孔１４ａ及び肘掛け側孔２６ａ及び共通孔５５が連通した状態でのみ第二係止部５６を第二被係止部２７に係止することを可能としており、これにより固定金具５０を正しい向き及び位置で確実に取付けられるようにしている。
【００３４】
つまり便器１に肘掛け４及び装置ケース３を取付ける場合には、図９（ｂ）や図９（ｃ）に示すように誤って固定金具５０の第一固定片５０ａを横にして取付け板部２３に載置すると共に、肘掛け側孔２６ａに便器固定用孔５２やケース固定用孔５１を連通させ、この状態で便器固定用孔５２及びケース固定用孔５１及び便器側孔１４ａに便器用固着具１５を挿通し、該便器用固着具１５により固定金具５０及び取付け板部２３を便器１に固着してしまう虞があるが、この場合には、取付け板部２３に載置した第一固定片５０ａから突出した第一係止部５３が肘掛け側前当たり部２８に当たったり（図９（ｂ））、肘掛け側後当たり部２９に当たったりし（図９（ｃ））、これにより第一固定片５０ａの後部を取付け板部２３にぴったりと密着させることができず、第一固定片５０ａが水平な取付け板部２３に対して傾いた状態となり、この結果、便器用固着具１５により前後方向や上下方向の誤った取付け位置で固定金具５０が取付けられることを防止でき、延いては肘掛け４及び装置ケース３を便器１に取付けるにあたって装置ケース３が正しくない位置で取付けられることを防止できるようになっている。
【００３５】
そして上記のようにして便器１の載置部１１の両側部の夫々に肘掛け４の取付け板部２３及び固定金具５０の第二固定片５０ｂを固着した後、装置ケース３を固定金具５０に固着する。
【００３６】
固定金具５０に装置ケース３を取付けるには、まず各固定金具５０の起立した第一固定片５０ａを装置ケース３の差し込み孔４５から装置ケース３内に差し込む。次に載置部１１及び取付け板部２３に対して垂直に起立した各第一固定片５０ａの前面（厚み方向における第二固定片５０ｂと反対側の面）及び同面と前後方向で同じ位置にある取付け板部２３の前面に装置ケース３の取付け縦片部４２の後面を密着して配置すると共に、取付け縦片部４２を載置部１１に載置する。これにより各ケース側孔４６とケース固定用孔５１が連通し、且つ各便器固定用孔５２の前側が便器固定用孔覆い部４８にて覆われる。そしてこの状態で連通する各ケース側孔４６及びケース固定用孔５１にリベットのようなケース用固着具４７を取付け縦片部４２側から挿通し、該ケース用固着具４７により装置ケース３の取付け縦片部４２を各固定金具５０の第一固定片５０ａに固着する。
【００３７】
ここで本実施形態では上記ケース用固着具４７の軸部の径よりも孔径が小さい便器固定用孔５２と、便器固定用孔覆い部４８と、便器固定用孔５２からの間隔Ｌ７がケース側孔４６から横片状部４３までの間隔Ｌ９よりも短い寸法となる位置に形成した第一係止部５３との夫々が誤着防止手段を構成してあり、該誤着防止手段により、起立した第一固定片５０ａに沿って取付け縦片部４２を所定高さに配した状態でのみケース用固着具４７により第一固定片５０ａに取付け縦片部４２を固着することを可能としそれ以外は不可としている。
【００３８】
つまり便器固定用孔５２にあってはその径がケース用固着具４７の軸部の径よりも小さくなっているため、便器固定用孔５２にケース用固着具４７を挿通できないようになっており、これによりケース用固着具４７によって取付け縦片部４２が正しくない位置で第一固定片５０ａに取付けられることを防止している。
【００３９】
また便器固定用孔覆い部４８にあっては取付け縦片部４２の下端面を載置部１１の上面に突き合わせた状態で取付け縦片部４２を起立した第一固定片５０ａに沿わせて配置した場合に便器固定用孔５２を覆うため、便器固定用孔５２にケース用固着具４７を挿通できないようになっており、これによりケース用固着具４７によって取付け縦片部４２が正しくない位置で第一固定片５０ａに取付けられることを防止している。
【００４０】
また第一係止部５３にあっては図９（ａ）に示すように誤ってケース側孔４６及び便器固定用孔５２を連通させて取付け縦片部４２を起立した第一固定片５０ａに沿って配置しようとした場合に、第一係止部５３が取付け縦片部４２の上端部に当たって取付け縦片部４２の上部を第一固定片５０ａにぴったりと密着させることができず、取付け縦片部４２が第一固定片５０ａに対して傾くようになっており、これによりケース用固着具４７によって取付け縦片部４２が正しくない位置で第一固定片５０ａに取付けられることを防止している。
【００４１】
また便座装置２は便座側ケース５８に便座５９や便蓋６０を回動自在に取付けたものであって、上記のように装置ケース３を便器１に取付けた後に、便座側ケース５８を便器１の上面に前方からスライド移動し、便座側ケース５８の下面部に設けた図示しない係合部材を便器１の後部の上面に設けた金具６５（図７参照）に係合することで便器１に取付けられるものである。
【００４２】
上記便座装置２の便座側ケース５８には人体の局部を洗浄するための局部洗浄手段や、人体の局部洗浄をした後に温風又は冷風により人体の局部を乾燥させるための乾燥手段や、便器１内の脱臭を行うための脱臭手段等の機能部、該機能部を制御する便座側制御部３４、等を内装しており、操作部３４やリモコン装置等からの信号に基づいて機能部を運転するようにしている。また便座側ケース５８は後端部の下部が後方に向けて突出した後方突出部６３となっており、該後方突出部６３が装置ケース３の前部の下部の凹段部４１に嵌り込んだ状態で便座装置２の便座側ケース５８は便器１に取付けられている。
【００４３】
なお上記局部洗浄手段の配管には図２に示すように水供給管３０から洗浄水を供給するためのフレキシブル管６４が接続してあるものとする。また詳細な説明は省略するが本実施形態の便器装置は、便座装置２に着座・離座検出手段と、該着座・離座検出手段で検出した着座・離座情報を赤外線のような無線信号で送信する送信手段とを設け、装置ケース３に前記無線信号を受信する受信手段を設けたものであって、前述の制御部３３は前記受信手段で受信した信号（着座・離座情報）に基づいても便器洗浄手段を制御できるようになっており、また便座側制御部３４は着座・離座検出情報に基づいても機能部を制御できるようになっているものとする。
【００４４】
以上が本実施形態の便器装置の構成であるが、本発明にあっては上記固定金具５０を用いて図８に示すように肘掛け４を便器１の載置部１１に取付けることなく便器１に装置ケース３を取付けることができるようになっている。
【００４５】
肘掛け４なしで装置ケース３を便器１に取付ける場合には、便器１の載置部１１の両側部の夫々に固定金具５０の第一固定片５０ａを横にした状態（即ち肘掛け４を取付けた時とは第一固定片５０ａ及び第二固定片５０ｂの位置関係を逆にした状態）で直接載置すると共に、第一係止部５３を第一被係止部１６に挿入係止する。これにより便器側孔１４ａと便器固定用孔５２が連通し、且つケース側孔４６が平面視で載置部１１の便器側孔１４ａの前側縁部と重複する。次に連通する便器側孔１４ａ及び便器固定用孔５２に第一固定片５０ａ側から便器用固着具１５を挿通し、該便器用固着具１５の載置部１１から下方に突出した軸部にナット５７を螺合し、載置部１１に第二固定片５０ｂを固着する。
【００４６】
そして上記のようにして便器１の載置部１１の両側部の夫々に固定金具５０を固着した後、装置ケース３を固定金具５０に固着する。
【００４７】
載置部１１に直接載置固定した固定金具５０に装置ケース３を取付けるには、まず各固定金具５０の起立した第二固定片５０ｂを装置ケース３の差し込み孔４５から装置ケース３内に差し込む。次に載置部１１に対して垂直に起立した各第二固定片５０ｂの前面（厚み方向における第一固定片５０ａとは反対側の面）に装置ケース３の取付け縦片部４２の後面を沿わせて配置すると共に、載置部１１に対して垂直な取付け縦片部４２を載置部１１に載置して、ケース側孔４６と共通孔５５とを連通させ、この後連通する各ケース側孔４６及び共通孔５５にケース用固着具４７を取付け縦片部４２側から挿通し、該ケース用固着具４７により取付け縦片部４２を第二固定片５０ｂに固着する。この場合、前述したように第一固定片５０ａから共通孔５５までの間隔Ｌ３と、第二固定片５０ｂからケース固定用孔５１までの間隔Ｌ５に肘掛け４の取付け板部２３の厚みｔを加えた寸法Ｌ６（つまり肘掛け４及び装置ケース３を便器１に取り付けた状態における載置部１１の上面からケース固定用孔５１までの間隔）と、第二固定片５０ｂから便器固定用孔５２までの間隔Ｌ４を同じ寸法としてあるので、装置ケース３は肘掛け４を取付けた場合の装置ケース３と前後方向及び上下方向の同じ位置に配設されることとなる。
【００４８】
ここで前述の固定金具向規制手段は、上記のように肘掛け４なしで装置ケース３を便器１に取付けるにあたって、載置部１１に横にした第一固定片５０ａを直接載置すると共に便器側孔１４ａ及び便器固定用孔５２が連通した状態でのみ第一係止部５３を第一被係止部１６に係止することを可能としている。
【００４９】
つまり便器１に肘掛け４なしで装置ケース３を取付ける場合には、図１０（ａ）に示すように誤ってケース固定用孔５１と便器側孔１４ａとを連通させた状態で固定金具５０の第一固定片５０ａを横にした状態で載置部１１に直接載置する虞があるが、この場合には、図に示すように第一固定片５０ａから突出した第一係止部５３が便器側当たり部１７に当たって、第一固定片５０ａの後部を取付け板部２３にぴったりと密着させることができず、第一固定片５０ａが水平な取付け板部２３に対して傾いた状態となり、これにより固定金具５０が正しくない位置で取付けられることを防止している。
【００５０】
また便器１に肘掛け４なしで装置ケース３を取付ける場合には、図１０（ｂ）に示すように誤って共通孔５５と便器側孔１４ａとを連通させた状態で固定金具５０の第二固定片５０ｂを横にして載置部１１に直接載置する虞があるが、この場合にも第二固定片５０ｂから突出した第二係止部５６が便器側当たり部１７に当たり、この結果、第二固定片５０ｂの後部を取付け板部２３にぴったりと密着させることができず、第二固定片５０ａが水平な取付け板部２３に対して傾いた状態となり、これにより固定金具５０が正しくない位置及び向きで取付けられることを防止している。
【００５１】
なお本実施形態では第一係止部５３及び第二係止部５６を凸部で形成し、第一被係止部１６及び第二被係止部２７を凹所で形成したが、これに限定されるものではなく、第一係止部５３を凹所で形成すると共に第一被係止部１６を凸部で形成したり、第二係止部５６を凹所で形成すると共に第二被係止部２７を凸部で形成したりしても良い。
【００５２】
また本実施形態では第一被係止部１６及び第二被係止部２７の夫々を水平方向における同一方向において便器側孔１４ａからの距離が異なる位置に形成し、この第一被係止部１６及び第二被係止部２７に対応する位置に固定金具５０の第一係止部５３及び第二係止部５６を形成したが、例えば第一被係止部１６及び第二被係止部２７が水平方向における異なる方向において便器側孔１４ａからの距離が同じ位置や異なる位置に形成し、この第一被係止部１６及び第二被係止部２７に対応する位置に固定金具５０の第一係止部５３及び第二係止部５６を形成しても良い。つまり第一被係止部１６がその便器側孔１４ａに対する相対位置が便器固定用孔５２に対する第一係止部５３の相対位置と同じとなり且つ第二被係止部２７の肘掛け側孔２６ａに対する相対位置と異なる位置に形成してあれば良い。
【００５３】
また本実施形態ではケース用固着具４７として図１等に示すようなフランジ部６５から突設した筒部６６内に押し込みにより筒部を押し広げてかしめるピン６７を収納した先端拡張式の打ち込みリベットを用いたが、勿論これに限定されるものではなく、便器用固着具１５のようなビス等をケース用固着具４７としても良い。
【図面の簡単な説明】
【００５４】
【図１】本発明の実施の形態の一例を示す側断面図である。
【図２】肘掛けなしで装置ケースを取り付けた便器装置を示す全体斜視図である。
【図３】図２の便座側ケースの内部を示す便器装置の全体平面図である。
【図４】図２の側断面図である。
【図５】図２の便器装置のボウル部内に水を溜めた状態を示す側断面図である。
【図６】同上の固定金具の斜視図である。
【図７】図２の便座装置を取り外した状態を示す分解斜視図である。
【図８】図２の装置ケースを固定金具を介して便器に取り付けた状態を示す側断面図である。
【図９】（ａ）〜（ｃ）は肘掛け及び装置ケースを便器に取り付けるにあたって、誤った取り付けが行われるのを防止する構造を示す説明図である。
【図１０】（ａ）及び（ｂ）は肘掛けなしで装置ケースを便器に取り付けるにあたって、誤った取り付けが行われるのを防止する構造を示す説明図である。
【図１１】従来の便器装置を示し、（ａ）は肘掛け及び装置ケースが便器に取り付けられる便器装置の分解斜視図であり、（ｂ）は肘掛けが取り付けられず装置ケースが便器に取り付けられる便器装置の分解斜視図である。
【図１２】従来の固定金具を示す斜視図である。
【図１３】（ａ）は図１１（ａ）の装置ケースを正しい位置で取り付けた状態を示す側断面図であり、（ｂ）〜（ｄ）は装置ケースを誤った位置で取り付けた状態を示す側断面図である。
【図１４】（ａ）は図１１（ｂ）の装置ケースを正しい位置で取り付けた状態を示す側断面図であり、（ｂ）及び（ｃ）は装置ケースを誤った位置で取り付けた状態を示す側断面図である。
【符号の説明】
【００５５】
１  便器
４  肘掛け
１１  載置部
１４ａ  便器側孔
１５  便器用固着具
１６  第一被係止部
２３  取付け板部
２６ａ  肘掛け側孔
２７  第二被係止部
４２  取付け縦片部
４６  ケース側孔
４７  ケース用固着具
５０  固定金具
５０ａ  第一固定片
５０ｂ  第二固定片
５１  ケース固定用孔
５２  便器固定用孔
５３  第一係止部
５５  共通孔
５６  第二係止部
【図１】
2006200324.tif 000003
【図２】
2006200324.tif 000004
【図３】
2006200324.tif 000005
【図４】
2006200324.tif 000006
【図５】
2006200324.tif 000007
【図６】
2006200324.tif 000008
【図７】
2006200324.tif 000009
【図８】
2006200324.tif 000010
【図９】
2006200324.tif 000011
【図１０】
2006200324.tif 000012
【図１１】
2006200324.tif 000013
【図１２】
2006200324.tif 000014
【図１３】
2006200324.tif 000015
【図１４】
2006200324.tif 000016